(57)【要約】【課題】入力する映像信号を切り替えることができる電子機器において、入力の切り替えを行うデジタル機器とユーザが映像信号を入力するように選択したデジタル機器までの経路にないデジタル機器を無視聴装置とし、無視聴装置の電源をオフする無視聴電源オフ装置、デジタル放送受信装置、無視聴電源オフシステム、及び無視聴電源オフ装置の電源オフ方法を提供する。【解決手段】デジタルＴＶ１０にＤＶＤレコーダ（１）２０とオーディオシステム３０がＨＤＭＩケーブルで接続され、またオーディオシステム３０にはＤＶＤレコーダ（２）４０とＤＶＤプレーヤ（１）５０がＨＤＭＩケーブルで接続されている形態において、ＤＶＤプレーヤ（１）５０を映像信号の入力ソースである装置に切り替えたときに、デジタルＴＶ１０、オーディオシステム３０、ＤＶＤプレーヤ（１）５０が経路内装置となり、それ以外の装置は無視聴装置と判定され、自動的に電源をオフする。【選択図】図１
2009296043.tif 000002
【特許請求の範囲】
【請求項１】
映像信号の入力ソースである装置を切り替える信号を出力する信号切替指令出力手段と、
前記信号切替指令出力手段によって切り替えられた装置までの経路を決定する経路決定手段と、
前記経路にない装置を無視聴装置と判別する無視聴装置判別手段と、
前記無視聴装置の電源をオフする信号を出力する電源オフ指令出力手段と、
を備えたことを特徴とする、無視聴電源オフ装置。
【請求項２】
当該無視聴電源オフ装置と、当該無視聴電源オフ装置に接続されている前記映像信号の入力ソースである装置の間はＨＤＭＩケーブルで接続されていることを特徴とする請求項１に記載の無視聴電源オフ装置。
【請求項３】
当該無視聴電源オフ装置と、当該無視聴電源オフ装置に接続されている前記映像信号の入力ソースである装置は、接続ルートに基づいて物理アドレスが決定されていることを特徴とする請求項２に記載の無視聴電源オフ装置。
【請求項４】
前記物理アドレスが設定されているアドレステーブルを記憶する手段を備えていることを特徴とする請求項３に記載の無視聴電源オフ装置。
【請求項５】
前記経路決定手段は、前記物理アドレスに基づいて経路を決定することを特徴とする請求項３または請求項４のいずれか一項に記載の無視聴電源オフ装置。
【請求項６】
前記電源オフ指令出力手段は、前記無視聴装置の前記物理アドレスに電源をオフするＣＥＣコマンドを送信する電源オフＣＥＣコマンド送信手段を備えていることを特徴とする請求項３から請求項５のいずれか一項に記載の無視聴電源オフ装置。
【請求項７】
請求項１から請求項６の無視聴電源オフ装置を備えていることを特徴とする電子機器。
【請求項８】
当該電子機器はデジタル放送受信装置であることを特徴とする請求項７に記載の電子機器。
【請求項９】
請求項７又は請求項８に記載の前記電子機器に前記無視聴装置が接続された無視聴電源オフシステムにおいて、
前記無視聴装置は、前記無視聴電源オフ装置からの電源をオフする信号を入力する電源オフ指令入力手段と、
前記無視聴装置の電源をオフする電源オフ手段と、
を備えていることを特徴とする無視聴電源オフシステム。
【請求項１０】
無視聴電源オフ装置の映像信号入力端子にＨＤＭＩケーブルで接続された電子機器が無視聴状態であるとき、前記電子機器の電源をオフする無視聴電源オフ装置の無視聴電源オフ方法であって、
前記無視聴電源オフ装置に備わる無視聴電源オフ手段が、映像信号の入力ソースである装置を切り替える信号切替工程と、
前記信号切替工程によって切り替えられた前記装置までの経路を決定する無視聴電源オフ処理部の経路決定工程と、
前記経路にない装置を無視聴装置と判別する無視聴電源オフ処理部の無視聴装置判別工程と、
前記無視聴装置の電源をオフする信号を出力する無視聴電源オフ処理部の電源オフ指令出力工程と、
を実行することを特徴とする無視聴電源オフ装置の電源オフ方法。
【発明の詳細な説明】
【技術分野】
【０００１】
本発明は、映像信号の入力ソースを切り替えて映像を視聴することができる電子機器において、この電子機器と接続されているユーザが選択した入力ソースに切り替えるときに、上記電子機器と入力ソースまでのルート(以下経路という)内でない装置は視聴中でない(以下無視聴という)と判断し、無視聴装置の電源をオフし、省電力化することのできる無視聴電源オフ装置、デジタル放送受信装置、無視聴電源オフシステム、及び無視聴電源オフ装置の電源オフ方法に関する。
【背景技術】
【０００２】
電子機器の入力切替えにより、視聴したい電子機器を選択するとその電子機器がＨＤＭＩ規格で定められたＣＥＣの制御により自動的に電源がオンとなるが、他の電子機器を視聴する状態となっても、電子機器は自動的に電源をオフするようになっていない。例えば、ＤＶＤレコーダやＤＶＤプレーヤなどの映像信号を視聴しているときにデジタル放送受信装置(以下デジタルＴＶという)からの映像信号を入力するように切り替えたときに、デジタルＴＶからの映像信号を入力する前に映像信号を入力していたＤＶＤレコーダやＤＶＤプレーヤなどの電子機器の電源が自動的にオフされずにそのままオンとなり、無駄な電力が消費されることがある。この対策として、無操作状態がある一定時間以上継続された場合、ＤＶＤレコーダやＤＶＤプレーヤなどの電子機器の電源を自動的にオフすることで無駄な電力の消費を押さえることができる。
【０００３】
この従来技術として特開２０００−３６１４３号公報（特許文献１）を挙げることができる。特許文献１に開示の技術では、記録再生装置においてユーザが予め設定した時間を経過するまで無操作状態が継続された場合、記録再生装置自体が電源を制御して自動的に電源をオフすることができ、また表示部の輝度を制御して自動的に表示部の輝度を変化させることができるので、省電力となる。
【特許文献１】特開２０００−３６１４３号公報
【発明の開示】
【発明が解決しようとする課題】
【０００４】
しかしながら、特許文献１に開示の技術では、ユーザが記録再生装置を操作中であるかを直接判断することができないので、ユーザが設定した無操作時間の間ユーザの操作が行われないときは操作中でないと判断し、無操作時間が経過したときに記録再生装置の電源をオフするようにしている。しかし、ユーザが設定する無操作時間が短いとユーザが操作中にも拘わらず電源がオフされてしまい、逆に無操作時間が長いとユーザが操作していないにも拘わらず予め設定した無操作時間が経過するまで電源がオンとなるので、無駄な電力を消費してしまう。また、無操作時間の設定、無操作時間が経過したかを監視する機能を記録再生装置に搭載する必要がある。
【０００５】
本発明はこのような状況に鑑みてなされたものであり、上記課題を解決できる無視聴電源オフ装置及び無視聴電源オフ装置における電源オフ方法を提供することを目的とする。
【課題を解決するための手段】
【０００６】
本発明の無視聴電源オフ装置は、映像信号の入力ソースである装置を切り替える信号を出力する信号切替指令出力手段と、前記信号切替指令出力手段によって切り替えられた装置までの経路を決定する経路決定手段と、前記経路にない装置を無視聴装置と判別する無視聴装置判別手段と、前記無視聴装置の電源をオフする信号を出力する電源オフ指令出力手段と、を備えたことを特徴としている。
本発明の無視聴電源オフ装置は、当該無視聴電源オフ装置と、当該無視聴電源オフ装置に接続されている前記映像信号の入力ソースである装置の間はＨＤＭＩケーブルで接続されていることを特徴としている。
本発明の無視聴電源オフ装置は、当該無視聴電源オフ装置と、当該無視聴電源オフ装置に接続されている前記映像信号の入力ソースである装置は、接続ルートに基づいて物理アドレスが決定されていることを特徴としている。
本発明の無視聴電源オフ装置は、前記物理アドレスが設定されているアドレステーブルを記憶する手段を備えていることを特徴としている。
本発明の無視聴電源オフ装置の前記経路決定手段は、前記物理アドレスに基づいて経路を決定することを特徴としている。
本発明の無視聴電源オフ装置の前記電源オフ指令出力手段は、前記無視聴装置の前記物理アドレスに電源をオフするＣＥＣコマンドを送信する電源オフＣＥＣコマンド送信手段を備えていることを特徴としている。
本発明の電子機器は、上記の無視聴電源オフ装置を備えていることを特徴とする。
本発明の電子機器はデジタル放送受信装置であることを特徴としている。
本発明の無視聴電源オフシステムは、上記の前記電子機器に前記無視聴装置が接続された無視聴電源オフシステムにおいて、前記無視聴装置は、前記無視聴電源オフ装置からの電源をオフする信号を入力する電源オフ指令入力手段と、前記無視聴装置の電源をオフする電源オフ手段と、を備えていることを特徴としている。
本発明の無視聴電源オフ装置の電源オフ方法は、無視聴電源オフ装置の映像信号入力端子にＨＤＭＩケーブルで接続された電子機器が無視聴状態であるとき、前記電子機器の電源をオフする無視聴電源オフ装置の無視聴電源オフ方法であって、前記無視聴電源オフ装置に備わる無視聴電源オフ手段が、映像信号の入力ソースである装置を切り替える信号切替工程と、前記信号切替工程によって切り替えられた前記装置までの経路を決定する無視聴電源オフ処理部の経路決定工程と、前記経路にない装置を無視聴装置と判別する無視聴電源オフ処理部の無視聴装置判別工程と、前記無視聴装置の電源をオフする信号を出力する無視聴電源オフ処理部の電源オフ指令出力工程と、を実行することを特徴としている。
【発明の効果】
【０００７】
本発明によれば、映像信号の入力ソースを切り替えて映像を視聴することができる電子機器において、入力ソースの切り替えが行われたときに、上記電子機器と入力ソースまでの経路内にない装置を無視聴装置とし、無視聴装置の電源をオフする無視聴電源オフ装置、デジタル放送受信装置、無視聴電源オフシステム、及び無視聴電源オフ装置の電源オフ方法を提供することができる。
【発明を実施するための最良の形態】
【０００８】
本発明の実施の形態は、デジタル機器(以下デジタル装置という)の映像と音声を伝送できるデジタルＡＶインターフェースの汎用規格であるＨＤＭＩ規格に適応したＨＤＭＩケーブルで接続されたデジタルＴＶ、ＤＶＤレコーダ、ＤＶＤプレーヤなどのデジタル装置で構成される実施形態である。ユーザがデジタルＴＶのリモコンから当該デジタルＴＶを含めた映像信号の入力ソースであるデジタル装置を選択し、映像信号の入力ソースであるデジタル装置の切り替えを行うと、切り替えられた入力ソースのデジタル装置から映像信号がデジタルＴＶへ送信される。また、切り替えが行われたときに、デジタルＴＶと切り替えられた入力ソースのデジタル装置の信号経路を確認し、接続されている全てのデジタル装置について経路内にあるか経路内にない(以下経路外にあるという)かを判断する。そして経路外にあるデジタル装置については、予め決められた一定時間を経過したときに、デジタルＴＶからＨＤＭＩの制御規格であるＣＥＣ（Consumer Electronics Control）の電源オフＣＥＣコマンドを経路外のデジタル装置に送信し、そのデジタル装置の電源をオフする。以下、本発明の実施の形態について図面を参照して説明する。
【０００９】
（実施の形態）
本発明の実施の形態であるデジタルＴＶに接続されるデジタル装置の接続図を図１に示す。なお、本発明の形態では、本発明による無視聴電源オフ装置はデジタルＴＶ内に搭載されている。図１の接続図に示すようにデジタルＴＶ１０にＤＶＤレコーダ（１）２０とオーディオシステム３０がＨＤＭＩケーブルで接続されている。また、オーディオシステム３０にはＤＶＤレコーダ（２）４０とＤＶＤプレーヤ（１）５０がＨＤＭＩケーブルで接続されている。各々の装置はＨＤＭＩケーブルで接続されているので、映像信号である映像・音声を非圧縮でＨＤＭＩ規格の論理的な回線(以下ＨＤＭＩ回線という)で送受信することができ、また電源オフなどを行う制御コマンドであるＣＥＣコマンドをＣＥＣ規格の論理的な回線(以下ＣＥＣ回線という)で送受信することができる。
【００１０】
図２に、本実施の形態を構成する各デジタル装置の論理アドレス、装置名称、物理アドレスが設定されているアドレステーブルを示す。図２に示すように、論理アドレスはアドレステーブルに設定されたデジタル装置のユニークな識別番号である。装置名称は、デジタルＴＶ１０に外部入力装置として接続されたデジタル装置の名称である。物理アドレスは、接続ルートに従って決定されるアドレスである。以下に、物理アドレスの決定方法について説明する。物理アドレスは「ａ1．ａ２．ａ３．ａ４」の４つのアドレスから構成され、ａ１、ａ２、ａ３、ａ４の順に上位から下位のアドレスとなる。図１に示すようにデジタルＴＶ１０は、接続ルートの開始地点に位置するので物理アドレスは「０．０．０．０」となる。ＤＶＤレコーダ（１）２０とオーディオシステム３０は最上位に位置している別のデジタル装置であるので、アドレスａ１は１、２と順に設定される。この結果、ＤＶＤレコーダ（１）２０の物理アドレスは「１．０．０．０」、オーディオシステム３０の物理アドレスは「２．０．０．０」となる。ＤＶＤレコーダ（２）４０とＤＶＤプレーヤ（１）５０は、オーディオシステム３０の下位に位置するので、アドレスａ１には２、アドレスａ２には１、２と順に設定される。この結果、ＤＶＤレコーダ（２）４０の物理アドレスは「２．１．０．０」、ＤＶＤプレーヤ（１）５０の物理アドレスは「２．２．０．０」となる。以上のように決定された論理アドレスと物理アドレスが図１に示す各デジタル装置に記載されている。
【００１１】
物理アドレスにより指定されたデジタル装置が経路内にあるデジタル装置であるか経路外にあるデジタル装置であるかを判定する方法を以下に説明する。例えばＤＶＤレコーダ（１）２０に切り替えられた場合は、ＤＶＤレコーダ（１）２０は物理アドレスが「１．０．０．０」であるので、アドレスａ１が１、ａ２からａ４が全て０であり最上位に位置しているデジタル装置である。ＤＶＤレコーダ（１）２０は、接続ルートの開始地点であるデジタルＴＶ１０とだけ接続されている。以上により、ＤＶＤレコーダ（１）２０に切り替えられたときは、デジタルＴＶ１０とＤＶＤレコーダ（１）２０が経路内のデジタル装置となり、それ以外のデジタル装置は経路外のデジタル装置となる。また、ＤＶＤプレーヤ（１）５０に切り替えられた場合は、ＤＶＤプレーヤ（１）５０は物理アドレスが「２．２．０．０」であるので、アドレスａ１が２であり、アドレスａ２からアドレスａ４が０であるデジタル装置に接続されている。これに基づいて判断すると物理アドレス「２．０．０．０」であるデジタル装置はオーディオシステム３０である。更にオーディオシステム３０は、アドレスａ１が２で、ａ２からａ４が全て０であり最上位に位置しているデジタル装置であるので、接続ルートの開始地点であるデジタルＴＶ１０と接続されている。以上により、ＤＶＤプレーヤ（１）５０に切り替えられたときは、デジタルＴＶ１０とオーディオシステム３０とＤＶＤプレーヤ（１）５０が経路内のデジタル装置となり、それ以外のデジタル装置は経路外のデジタル装置となる。
【００１２】
図３に本実施の形態である無視聴電源オフシステムの主要な構成を示す機能ブロック図を示す。図３の無視聴電源オフシステムの機能ブロック図は、デジタルＴＶ１０と、デジタルＴＶ１０にＨＤＭＩケーブルで接続されているデジタル装置１０５の主要な構成を示す機能ブロック図である。
【００１３】
以下に図３のデジタルＴＶ１０の主要な機能について説明する。図３に示すようにデジタルＴＶ１０は、デジタルチューナ１１０、ＴＳデコーダ１１１、音声処理部１１２、映像処理部１１３、マイコン（マイクロコンピュータ）１１４、無視聴電源オフ処理部１１５、フラッシュメモリ１１６、リモコン（リモートコントローラ）受信部１１７、電源制御部１１８、電源１１９、ＨＤＭＩ受信部１２０、ＣＥＣ-Ｉ／Ｆ１２１、信号切替部１２２、システムバス１２３の機能を備えている。また、デジタルＴＶ１０にはＴＶモニタ１００、アンテナ１０１、リモコン１０２を備えている。更に、デジタルＴＶ１０とデジタル装置１０５は、ＨＤＭＩ回線１０３とＣＥＣ回線１０４で接続されている。なお、図３に示したデジタル装置１０５は１台としてあるが、このデジタル装置１０５は、図１のＤＶＤレコーダ（１）２０、オーディオシステム３０、ＤＶＤレコーダ（２）４０、ＤＶＤプレーヤ（１）５０を代表して記載したもので、実際は図１のような接続となっている。
【００１４】
デジタルチューナ１１０は、アンテナ１０１にて受信される放送電波を復調してトランスポートストリームパケット（以下ＴＳパケットという）としてＴＳデコーダ１１１に出力する。ＴＳデコーダ１１１は、このＴＳパケットから所望の放送番組に関する映像データ及び音声データを抽出する。抽出された映像データ及び音声データは、ＭＰＥＧ−２によって符号化されているデジタルデータである。音声処理部１１２は、符号化された音声データを復号化しＴＶモニタ１００に出力する。信号切替部１２２がデジタルＴＶ１０に切り替えられていれば、ＴＶモニタ１００に出力された音声データは、ＴＶモニタ１００に設けられたスピーカから音声として出力される。映像処理部１１３は、符号化された映像データを復号化し、復号化した映像データをテレビ信号に変換してＴＶモニタ１００に出力する。信号切替部１２２がデジタルＴＶ１０に切り替えられていれば、ＴＶモニタ１００に出力された映像データは、ＴＶモニタ１００に表示される。
【００１５】
マイコン１１４はコンピュータ、メモリ、その他周辺回路を含む制御回路であり、デジタルＴＶの機能を実現するプログラムを実行することにより、ユーザによるリモコン１０２の操作に基づき放送チャンネルを切り替えながら、デジタルＴＶ１０を制御するようになっている。また、マイコン１１４はデジタルＴＶの機能を実現するプログラムを実行することにより、ＨＤＭＩ回線１０３で接続されているデジタル装置１０５が無視聴かを判断し、無視聴と判断されたデジタル装置１０５の電源をオフする機能である無視聴電源オフ処理部１１５を実現する。マイコン１１４は、リモコン受信部１１７によりリモコン１０２からの入力切り替え操作信号を受け付けると、入力切替情報を作成し信号切替部１２２と無視聴電源オフ処理部１１５に出力する。入力切替情報には、切り替えるデジタル装置１０５の論理アドレスがセットされる。セットされる論理アドレスは、図２に示すアドレステーブルに設定されている論理アドレスである。フラッシュメモリ１１６は、マイコン１１４が実行するプログラムやこのプログラムにて用いられるデータを一時的に記憶する書き換え可能な不揮発性メモリである。フラッシュメモリ１１６には、図２に示すアドレステーブルや、マイコン１１４が作成した入力切替情報などが記憶されている。
【００１６】
リモコン１０２は、リモコン１０２に設けられた操作ボタンに対するユーザの操作に応じて赤外線による操作信号を送信し、リモコン受信部１１７はこの操作信号を受信するようになっている。リモコン受信部１１７が受信した操作信号は、マイコン１１４に出力される。電源１１９は、電源が必要な箇所へ電源を供給する装置であり、電源制御部１１８により電源の供給が制御される。
【００１７】
ＨＤＭＩ受信部１２０は、デジタルＴＶ１０とＨＤＭＩ回線１０３で接続されたデジタル装置１０５から送信される映像データや音声データを受信し、ＴＶモニタ１００に出力する。信号切替部１２２がＨＤＭＩ回線１０３で接続されたデジタル装置１０５に切り替えられていれば、切り替えられたデジタル装置１０５からＴＶモニタ１００に送信された音声データは、ＴＶモニタ１００に設けられたスピーカから音声として出力される。また、信号切替部１２２がデジタル装置１０５に切り替えられていれば、切り替えられたデジタル装置１０５からＴＶモニタ１００に送信された映像データは、ＴＶモニタ１００に表示される。ＣＥＣ-Ｉ／Ｆ１２１は、ＣＥＣ回線１０４でＣＥＣコマンドの送受信を行うインターフェースである。信号切替部１２２は、マイコン１１４から出力された入力切替情報を入力すると、この入力切替情報に基づいてＴＶモニタ１００またはデジタル装置１０５に切り替える。以上の各機能部１１０〜１２２は、システムバス１２３により接続されている。
【００１８】
次に図３のデジタル装置１０５の主要な機能について説明する。図３に示すようにデジタル装置１０５は、マイコン１０５ａ、電源制御部１０５ｂ、電源１０５ｃ、ＨＤＭＩ受信部１０５ｄ、ＣＥＣ-Ｉ／Ｆ１０５ｅ、システムバス１０５ｆの機能を備えている。また、デジタル装置１０５とデジタルＴＶ１０は、ＨＤＭＩ回線１０３とＣＥＣ回線１０４で接続されている。
【００１９】
マイコン１０５ａはコンピュータ、メモリ、その他周辺回路を含む制御回路であり、デジタル装置１０５を制御するようになっている。電源１０５ｃは、電源が必要な箇所へ電源を供給する装置であり、電源制御部１０５ｂにより電源の供給が制御される。
【００２０】
ＨＤＭＩ送信部１０５ｄは、ＨＤＭＩ回線１０３で接続されたデジタルＴＶ１０に映像データや音声データを送信する。ＣＥＣ-Ｉ／Ｆ１０５ｅは、ＣＥＣ回線１０４でＣＥＣコマンドの送受信を行うインターフェースである。以上の各機能部１０５ａ〜１０５ｅは、システムバス１０５ｆにより接続されている。
【００２１】
図４は、本発明の実施の形態である無視聴電源オフ処理部１１５が実行する無視聴電源オフ処理の流れを示すフローチャートである。図４の無視聴電源オフ処理フローチャートに示すステップ順に基づいて、無視聴電源オフ処理を説明する。
【００２２】
ユーザが図３のリモコン１０２から映像信号の入力の切り替え操作を行い、デジタル装置１０５を選択すると、リモコン受信部１１７が入力切り替えの操作信号を受信し、マイコン１１４に出力する。マイコン１１４は入力切替情報を作成し、信号切替部１２２と無視聴電源オフ処理部１１５に出力する。入力切替情報には、切り替えられて新たな入力ソースとなった切り替え後のデジタル装置１０５の論理アドレスがセットされる。信号切替部１２２は、入力切替情報にセットされている論理アドレスに該当するデジタル装置１０５に切り替えを行う。また、無視聴電源オフ処理部１１５は、入力切替情報を入力し無視聴電源オフ処理を開始する。
【００２３】
（ステップＳ１）
無視聴電源オフ処理部１１５は、経路外のデジタル装置１０５の電源を予め決められたタイマー時間経過後に電源オフするために、電源オフタイマーを設定する。
【００２４】
（ステップＳ２）
無視聴電源オフ処理部１１５は、予め決められた一定時間待ち状態とする。
【００２５】
（ステップＳ３）
無視聴電源オフ処理部１１５は、電源オフタイマーがタイムアウトしたかを判定し、電源オフタイマーがタイムアウトした（ステップＳ３のＹｅｓ）ときは、切り替え後のデジタル装置１０５の物理アドレスを取り出すステップＳ４に進む。また、電源オフタイマーがタイムアウトしていない（ステップＳ３のＮｏ）ときは、再び一定時間待ち状態とするステップＳ２に戻る。
【００２６】
（ステップＳ４）
無視聴電源オフ処理部１１５は、図２に示すアドレステーブルをフラッシュメモリ１１６から取り出す。また、無視聴電源オフ処理部１１５は入力した入力切替情報から切り替え後のデジタル装置１０５の論理アドレスを取り出す。そして、無視聴電源オフ処理部１１５は、アドレステーブルから切り替え後のデジタル装置１０５の論理アドレスに該当する物理アドレスを取り出す。例えば、切り替え後のデジタル装置１０５がＤＶＤプレーヤ（１）５０であるときは、入力切替情報には論理アドレス「４」がセットされているので、アドレステーブルの論理アドレス「４」に該当する物理アドレス「２．２．０．０」が取り出される。
【００２７】
（ステップＳ５）
無視聴電源オフ処理部１１５は、アドレステーブルの論理アドレスのデジタル装置１０５について経路外にあるかを判断するため、アドレステーブルの論理アドレスを示す(Ｉ)に初期値１をセットする。アドレステーブルの論理アドレス（Ｉ）＝０は、デジタルＴＶ１０である。デジタルＴＶ１０は経路の開始となる装置であるので、このデジタルＴＶ１０は常に経路内であるため、経路内か経路外であるかの判定の対象外とし、論理アドレス（Ｉ）＝１から論理アドレスの最大値ｎ（＝０ｘ０Ｅ（１４））のデジタル装置１０５について判定する。また、論理アドレス「Ｆ」（＝０ｘ０Ｆ（１５））のブロードキャストについては、複数機器が該当するので判定から外す。
【００２８】
（ステップＳ６）
無視聴電源オフ処理部１１５は、アドレステーブルの論理アドレス（Ｉ）と、切り替え後のデジタル装置１０５の論理アドレスと等しいかを判定する。アドレステーブルの論理アドレス（Ｉ）と切り替え後のデジタル装置１０５の論理アドレスが等しい(ステップＳ６のＹｅｓ)ときは、切り替え後のデジタル装置１０５については経路外かの判定は必要がないので、論理アドレス（Ｉ）が論理アドレスの最大値ｎ以上であるかを判定するステップＳ１１に進む。また、アドレステーブルの論理アドレス（Ｉ）と切り替え後のデジタル装置１０５の論理アドレスが等しくない(ステップＳ６のｎｏ)ときは、アドレステーブルから論理アドレス（Ｉ）に該当する物理アドレスを取り出すステップＳ７に進む。
【００２９】
（ステップＳ７）
無視聴電源オフ処理部１１５は、アドレステーブルから論理アドレス（Ｉ）に該当する物理アドレスを取り出す。例えば、アドレステーブルの論理アドレス（Ｉ）＝１であれば、ＤＶＤレコーダ（１）２０の物理アドレス「１．０．０．０」が取り出される。
【００３０】
（ステップＳ８）
無視聴電源オフ処理部１１５は、ステップＳ７で取り出した物理アドレスが未登録「Ｆ．Ｆ．Ｆ．Ｆ」であるか判定する。物理アドレスが未登録「Ｆ．Ｆ．Ｆ．Ｆ」(ステップＳ８のＹｅｓ)のときは、論理アドレス（Ｉ）であるデジタル装置１０５については、経路外かの判定は必要がないので、論理アドレス（Ｉ）が論理アドレスの最大値ｎ以上であるかを判定するステップＳ１１に進む。また、物理アドレスが未登録「Ｆ．Ｆ．Ｆ．Ｆ」でない(ステップＳ８のｎｏ)ときは、論理アドレス（Ｉ）については取り出した物理アドレスが経路外かの判定を行うステップＳ９に進む。
【００３１】
（ステップＳ９）
無視聴電源オフ処理部１１５は、ステップＳ４で取り出した切り替え後のデジタル装置１０５の物理アドレスとステップＳ７取り出した論理アドレス(Ｉ)の物理アドレスを比較し、論理アドレス（Ｉ）に該当するデジタル装置１０５は、切り替え後のデジタル装置１０５の経路外であるかを前述した判定方法で判定する。論理アドレス（Ｉ）に該当するデジタル装置１０５が経路外(ステップＳ９のＹｅｓ)ときは、該当するデジタル装置１０５に図５（ａ）に示す電源オフＣＥＣコマンドを送信するために、電源オフＣＥＣコマンドを作成するステップＳ１０に進む。論理アドレス（Ｉ）に該当するデジタル装置１０５が経路内(ステップＳ９のｎｏ)ときは、該当するデジタル装置１０５に電源オフＣＥＣコマンドを送信しないので、論理アドレス（Ｉ）が論理アドレスの最大値ｎ以上であるかを判定するステップＳ１１に進む。
【００３２】
（ステップＳ１０）
無視聴電源オフ処理部１１５は、図５（ａ）に示す電源オフＣＥＣコマンドの送信元にデジタルＴＶ１０の論理アドレス、送信先にステップＳ９で経路外と判定されたデジタル装置１０５の論理アドレスをセットし、電源オフＣＥＣコマンドを作成する。例えば、ＤＶＤプレーヤ（１）５０に切り替えられたときは、ＤＶＤレコーダ（１）２０とＤＶＤレコーダ（２）４０が経路外のデジタル装置１０５となるので、図５（ｂ）に示す電源オフＣＥＣコマンドが作成される。
【００３３】
（ステップＳ１１）
無視聴電源オフ処理部１１５は、論理アドレス（Ｉ）が論理アドレスの最大値ｎ以上であるかを判定する。論理アドレス(Ｉ)が論理アドレスの最大値ｎ以上(ステップＳ１１のＹｅｓ)ときは、アドレステーブルの全ての論理アドレスのデジタル装置１０５についてチェックしたので電源オフＣＥＣコマンドを送信するステップＳ１３に進む。また、論理アドレス（Ｉ）が論理アドレスの最大値ｎより小さい(ステップＳ１１のｎｏ)ときは、アドレステーブルの次の論理アドレスのデジタル装置１０５についてチェックするために、論理アドレス（Ｉ）を更新するステップＳ１２に進む。
【００３４】
（ステップＳ１２）
無視聴電源オフ処理部１１５は、アドレステーブルの次の論理アドレスのデジタル装置１０５についてチェックするために、論理アドレス（Ｉ）に１を加算して論理アドレス取を更新する。
【００３５】
（ステップＳ１３）
無視聴電源オフ処理部１１５は、ステップＳ１０で作成した電源オフＣＥＣコマンドを出力すると、マイコン１１４は電源オフＣＥＣコマンドをＣＥＣ−Ｉ／Ｆ１２１に出力する。ＣＥＣ−Ｉ／Ｆ１２１はＣＥＣ回線１０４を経由して宛先のデジタル装置１０５に電源オフＣＥＣコマンドを送信し、無視聴電源オフ処理を終了する。
【００３６】
デジタルＴＶ１０から電源オフＣＥＣコマンドを送信された図３に示すデジタル装置１０５は、ＣＥＣ-Ｉ／Ｆ１０５ｅが電源オフＣＥＣコマンドを受信するとマイコン１０５ａに出力する。マイコン１０５ａは受信したＣＥＣコマンドが電源オフＣＥＣコマンドであると判断すると電源制御部１０５ｂに電源オフの指令を出力する。そして、電源制御部１０５ｂは、マイコン１０５ａからの電源オフの指令により電源１０５ｃの電源をオフする。
【００３７】
このような実施の形態によれば、映像信号を入力するデジタル装置を切り替えることができるデジタル装置において、切り替えられたデジタル装置の経路外のデジタル装置を無視聴装置と判定し、無視聴装置の電源をオフする無視聴電源オフ装置、デジタル放送受信装置、無視聴電源オフシステム、及び無視聴電源オフ装置の電源オフ方法を提供することができる。
【００３８】
本発明は、ユーザの入力切り替え操作である切り替え操作信号に基づいて、デジタル装置が経路外であるかを判定するので、無操作時間が経過したかを判定するのと異なり、ユーザが視聴していないデジタル装置であるかを確実に判定することができる。このため、図４に示す無視聴電源オフ処理フローチャートのステップＳ１における電源オフタイマー設定は、長い時間を設定する必要がなく、切り替えにかかる時間を予測してユーザが設定することができる。この時間の設定方法としては、設定画面を設けて設定画面から設定することも可能である。また、無操作時間の設定、無操作時間が経過したかを監視する機能を各々のデジタル装置に搭載せずに、ユーザからの映像信号の切り替え操作信号を受け付けるデジタル装置に無視聴電源オフ処理とアドレステーブルを備えることで実現することができる。以上の実施の形態の説明において、無視聴電源オフ装置は、デジタルＴＶに搭載されているとしたが、これに限定されず、デジタルＴＶの代わりに他のデジタル機器を使用することも可能である。また、上記実施の形態ではデジタル機器について説明したが、上記デジタル機器に限らず一般のアナログの電子機器でも適用することができる。例えば、ＣＥＣのコントロールはＨＤＭＩケーブルを利用し、映像信号の映像と音声は別のアナログケーブルを利用することが可能である。
【産業上の利用可能性】
【００３９】
本発明は、無視聴電源オフ装置、デジタル放送受信装置、無視聴電源オフシステム、及び無視聴電源オフ装置の電源オフ方法に好適であるが、無視聴電源オフ装置、デジタル放送受信装置、無視聴電源オフシステム、及び無視聴電源オフ装置の電源オフ方法に限られるものではなく、電源を制御することができる電子装置一般に適用可能である。
【図面の簡単な説明】
【００４０】
【図１】本発明の実施の形態であるデジタル装置の接続状態を示す接続図である。
【図２】本発明の実施の形態であるデジタル装置の論理アドレス、装置名称、物理アドレスを示すアドレステーブルである。
【図３】本発明の実施の形態である無視聴電源オフシステムの主要な構成を示す機能ブロック図である。
【図４】本発明の実施の形態である無視聴電源オフ処理の流れを示す無視聴電源オフ処理フローチャートである。
【図５】本発明の実施の形態である電源オフのＣＥＣコマンドの構成を示す電源オフＣＥＣコマンド構成図である。
【符号の説明】
【００４１】
１０・・・デジタルＴＶ
２０・・・ＤＶＤレコーダ（１）
３０・・・オーディオシステム
４０・・・ＤＶＤレコーダ（２）
５０・・・ＤＶＤプレーヤ（１）
１００・・・ＴＶモニタ
１０１・・・アンテナ
１０２・・・リモコン
１０３・・・ＨＤＭＩ回線
１０４・・・ＣＥＣ回線
１０５・・・デジタル装置
１０５ａ・・マイコン
１０５ｂ・・電源制御部
１０５ｃ・・電源
１０５ｄ・・ＨＤＭＩ送信部
１０５ｅ・・ＣＥＣ−Ｉ／Ｆ
１０５ｆ・・システムバス
１１０・・・デジタルチューナ
１１１・・・ＴＳデコーダ
１１２・・・音声処理部
１１３・・・映像処理部
１１４・・・マイコン
１１５・・・無視聴電源オフ処理部
１１６・・・フラッシュメモリ
１１７・・・リモコン受信部
１１８・・・電源制御部
１１９・・・電源
１２０・・・ＨＤＭＩ受信部
１２１・・・ＣＥＣ−Ｉ／Ｆ
１２２・・・信号切替部
１２３・・・システムバス
【図１】
2009296043.tif 000003
【図２】
2009296043.tif 000004
【図３】
2009296043.tif 000005
【図４】
2009296043.tif 000006
【図５】
2009296043.tif 000007